(57)【特許請求の範囲】
【請求項１】
軒樋と同じ側断面形状をした平面視略Ｌ字状の曲がりの外曲がりと内曲がりをそれぞれ建物の出隅部と入隅部に取り付けた後、隣接する曲がりの対向する端部間に軒樋を配置し、軒樋と曲がりとを内継手で接続することを特徴とする軒樋と曲がりの施工方法。
【請求項２】
出隅部に出隅方向に突出する外曲がり吊具を取り付けて該外曲がり吊具に外曲がりを取り付けると共に、入隅部の隣接する両壁面にそれぞれ軒樋吊具を取り付けて該軒樋吊具に内曲がりの端部をそれぞれ取り付け、外壁面に軒樋吊具を取り付けて該軒樋吊具に軒樋を取り付けることを特徴とする請求項１記載の軒樋と曲がりの施工方法。
【発明の詳細な説明】
【０００１】
【発明の属する技術分野】
本発明は、建物の出隅部及び入隅部を含む外壁面に配置する軒樋と曲がりに関するものである。
【０００２】
【従来の技術】
従来より、建物の外壁面には軒樋を配置するものである。これは、図１２に示すように、建物の外壁面の平面部６０に軒樋吊具３を取り付けてこれに軒樋１を取り付けて配置し、出隅部６１や入隅部６２においては、平面視略Ｌ字状をした曲がり２’（外曲がり２ａ’，内曲がり２ｂ’）を先に配置した軒樋１の直交する端部に取り付けるものである。
【０００３】
このような曲がり２’は、端部に軒樋１の端部を嵌入したり被嵌したりして取り付けるもので、軒樋１と曲がり２’の取り付け部分は面一とならずに段部が形成されてしまい、下方より軒樋１及び曲がり２’を見上げた際に段部が見えて一体感がなく、外観が悪いものであった。
【０００４】
【発明が解決しようとする課題】
本発明は上記の点に鑑みてなされたものであり、その目的とするところは、施工性が悪化することなく軒樋と同じ側断面形状の曲がりを用いて外観を向上させることができる軒樋と曲がりの施工方法を提供することを課題とするものである。
【０００５】
【課題を解決するための手段】
上記課題を解決するために本発明に係る軒樋と曲がりの施工方法は、軒樋１と同じ側断面形状をした平面視略Ｌ字状の曲がり２の外曲がり２ａと内曲がり２ｂをそれぞれ建物の出隅部６１と入隅部６２に取り付けた後、隣接する曲がり２の対向する端部間に軒樋１を配置し、軒樋１と曲がり２とを内継手５で接続することを特徴とするものである。このような構成とすることで、曲がり２を予め出隅部６１や入隅部６２に取り付けて配置することで、軒樋１の形成すべき長さである隣接する曲がり２の対向する端部間の距離ｈ1，ｈ2を容易に一人でも計測可能となって、作業の施工性が向上するものである。また、曲がり２の側断面形状を軒樋１の側断面形状と同じに形成してあると共に、軒樋１同士あるいは軒樋１と曲がり２とを内継手５にて接続してあるため、軒樋１と曲がり２の接続部の外面を段部がない面一の状態に形成することができて、下方より軒樋１及び曲がり２を見上げた際にこれらが一体に見えて外観が向上するものである。
【０００６】
また、出隅部６１に出隅方向に突出する外曲がり吊具４を取り付けて該外曲がり吊具４に外曲がり２ａを取り付けると共に、入隅部６２の隣接する両壁面にそれぞれ軒樋吊具３を取り付けて該軒樋吊具３に内曲がり２ｂの端部をそれぞれ取り付け、外壁面に軒樋吊具３を取り付けて該軒樋吊具３に軒樋１を取り付けることが好ましい。このような構成とすることで、軒樋１を吊り支持するための軒樋吊具３を曲がり２（特に内曲がり２ｂ）の吊具として兼用できると共に、外曲がり２ａを二つの軒樋吊具３で吊り支持することなく一つの外曲がり吊具４のみで吊り支持可能となる。
【０００７】
【発明の実施の形態】
以下、本発明の一実施形態について添付図面に基づいて説明する。本発明は、図１に示すように、建物の外壁面や軒先部の平面部６０，出隅部６１，入隅部６２に軒樋１と曲がり２を配置する施工方法で、外曲がり２ａを外曲がり吊具４（軒樋吊具３でも可であるが本実施形態では用いない）を介して出隅部６１に取り付け、内曲がり２ｂを軒樋吊具３を介して入隅部６２に取り付け、軒樋１を軒樋吊具３を介して外壁面の主に平面部６０に取り付け、軒樋１同士又は軒樋１と曲がり２とを内継手５で接続するものである。まず、これらの軒樋１や曲がり２、吊具等について説明する。
【０００８】
軒樋１は、図２に示すように、両側の側片である外側片１１及び内側片１２と底片１３とからなる断面が上方に開口する大略コ字状をしたものである。底片１３はほぼ水平となると共に内側片１２は底片１３に対してほぼ直角に起立し、外側片１１は、底片１３の端部より外側斜め上方に連設される。外側片１１は、上縦片１１ａと、上縦片１１ａの下端部より内側に連設される中横片１１ｂと、中横片１１ｂの内側端部より内側斜め下方に連設されて底片１３に接続される下傾斜片１３ｃとからなり、上縦片１１ａの上端部は後で詳述するが内側に折り曲げられると共に、更にその先端側に下方に向けて外耳部１４が設けてある。また、内側片１２の上端には内側に向けて内耳部１５が設けてある。これら外耳部１４，内耳部１５は断面環状をしたもので、後述するが、軒樋吊具３に係止される係止部となるものであり、建物の外壁面の平面部６０に前記軒樋吊具３によって軒樋１を吊り支持して配置する。
【０００９】
軒樋吊具３は、図３に示すように、建物の外壁面の平面部６０に取付けられる取付部３１と、取付部３１より外側に延設される延設部３２と、軒樋１を吊り支持する外支持部３３及び内支持部３４とからなる。取付部３１は、平板状をしたもので、四か所に固着孔３１ａが穿孔してあり、固着孔３１ａにビス等の固着具を挿通して外壁面に螺着して、延設部３２が外壁面の平面部６０に対してほぼ垂直に突出するように取り付けるものである。延設部３２は、前記のように取付部３１から外側に向かって突設されるもので、本実施形態では複数の棒状又は板状の部材を連結して構成してあるが、形状等は特に限定されないものである。そして、延設部３２の外側端部には外支持部３３が設けてあると共に、延設部３２の内側端部近傍には内支持部３４が設けてあり、以下に説明する。
【００１０】
外支持部３３は、延設部３２の外側端部から外側斜め上方に向けて、吊り支持する軒樋１の外側片１１の内側にほぼ沿うように外係止片を突設して形成してある。一方、この外支持部３３にて支持される軒樋１の外側片１１においては、図２に示すように、外耳部１４の外側辺部１４ａ（即ち外側片１１に近接する側の辺部）と、上縦片１１ａの上端部近傍の端縦部１１ａ1と、端縦部１１ａ1の上端部より内方に連設されて先端から外耳部１４を突出している端横片１６とで囲まれて下方に開口する略コ字状をした挿入部１７が形成してある。これらは、図４に示すように、軒樋吊具３の外支持部３３である外係止片の上端部３３ａを軒樋１の外側片１１の前記挿入部１７に挿入し、外係止片の上端３３ａに軒樋１の外側片１１の端横片１６を載置した状態で支持するものである。
【００１１】
また、内支持部３４は、延設部３２の内側端部近傍の軒樋１の内耳部１５が配置される部分に、外側（即ち取付部３１側）に面する縦壁部３４ａ及び該縦壁部３４ａの下端部より外側に向けて上方に面する載置部３４ｂが形成してあり、更に、載置部３４ｂの外側端部より上方に向けて抜け止めリブ３４ｃが突設してある。一方、この内支持部３４にて支持される軒樋１の内側片１２においては、図２に示すように、内耳部１５の下側辺部１５ａの内側端部（即ち内側片１１から遠い側の端部）に下方に向けて内耳リブ１８が突設してある。これらは、図４に示すように、軒樋１の内側片１２の内耳リブ１８を軒樋吊具３の内支持部３４の抜け止めリブ３４ｃを乗り越えさせて載置部３４ｂに載置して軒樋１の内側片１２を支持するものである。
【００１２】
このようにして、図４に示すように、軒樋吊具３の外支持部３３と内支持部３４とでそれぞれ軒樋１の外側片１１と内側片１２とを支持して軒樋１を吊り支持する。
【００１３】
次に、曲がり２について説明する。曲がり２には、図５に示す外曲がり２ａと図６に示す内曲がり２ｂとがあり、外曲がり２ａは建物の出隅部６１に、内曲がり２ｂは入隅部６２に配置される。この曲がり２は、側断面形状が軒樋１と同じもの（軒樋１であってもよい）を長手方向に対して４５°の角度で切断してこの部分で繋ぎ合わせたような形状の平面視Ｌ字状をしたもので、切断・繋ぎ合わせによらず一体に成形してあっても勿論よい。これら曲がり２は、側断面形状が軒樋１と同じであって軒樋１と同様に、外側片２１及び内側片２２と底片２３とで主体が構成され、外側片２１は上縦片２１ａと中横片２１ｂと下傾斜片２１ｃとからなり、上縦片２１ａの上端部近傍の端縦部２１ａ1の上端部より内方に端横片２６を突設すると共に端横片２６の内側端部に下方に向けて外耳部２４を形成し、外耳部２４の外側辺部２４ａと端縦部２１ａ1及び端横片２６とで囲まれる挿入部２７を形成し、内側片２２の上端部に内耳部２５を設けると共に内耳部２５の下側辺部２５ａの内側端部に内耳リブ２８を突設してある。
【００１４】
曲がり２は、上述したように側断面形状が軒樋１と同じであるため、軒樋吊具３にて軒樋１と同様に吊り支持可能であり、内曲がり２ｂは両端部をそれぞれ軒樋吊具３にて吊り支持するものである。また、外曲がり２ａについては、軒樋吊具３でも吊り支持可能であるが、この場合、内曲がり２ｂと同様に両端部の二か所で吊り支持しなければならないものであるため、一か所で吊り支持可能なように外曲がり吊具４を用いるものである。
【００１５】
外曲がり吊具４は、図７に示すように、出隅部６１に取り付けられる曲用取付部４１と、曲用取付部４１より外側に延設される曲用延設部４２と、外曲がり２ａを吊り支持する外側支持部４３及び内側支持部４４とからなる。曲用取付部４１は、出隅部６１の両壁面にそれぞれ取り付けられる平板状の部材を接合したような平面視略Ｌ字状のもので、両端部に二か所ずつそれぞれ出隅部６１の両壁面に固着するための固着孔４１ａが穿孔してある。曲用延設部４２は、前記曲用取付部４１から外側に向かって延設されるもので、本実施形態では複数の棒状又は板状の部材を連結して構成してあるが、形状等は特に限定されない。この曲用延設部４２は、曲用取付部４１を建物の出隅部６１に取付けた際に、曲用取付部４１から出隅方向、即ち、出隅部６１の両壁面に対してそれぞれほぼ１３５°の角度を為すように突出するものである。そして、曲用延設部４２の外側端部からは外側支持部４３が設けてあると共に、曲用延設部４２の内側端部近傍には、内側支持部４４が設けてあり、以下に説明する。
【００１６】
外側支持部４３が設けられる曲用延設部４２の外側端部は、吊り支持する外曲がり２ａの外角部（平面視略Ｌ字状の外側片２１の折曲部）より幾分か内角部（平面視略Ｌ字状の内側片２２の折曲部）側に位置するもので、この曲用延設部４２の外側端部から外側係止片を二つ突設して外側支持部４３を設けてある。外側係止片は、平面視において吊り支持する外曲がり２ａの両側の外側片２１の内側にほぼ沿うように突設される。この外曲がり吊具４の外側支持部４３にて外曲がり２ａの外側片２１を支持するには、図４に示すように軒樋吊具３の外支持部３３の外係止片にて軒樋１の外側片１１を支持するのと同様に、外側支持部４３の外側係止片の上端部４３ａを外曲がり２ａの外側片２１の挿入部２７に挿入し、上端部４３ａに外曲がり２ａの外側片２１の端横片２６を載置した状態で支持する。なお、それぞれの外側支持部４３の外側係止片の上端部４３ａの対向する側と反対側の端部に切欠Ｋが形成してあり、外曲がり２ａを取り付ける際に外側片２１と干渉するのを防止することができる。
【００１７】
また、内側支持部４４は、曲用延設部４２の内側端部近傍の外曲がり２ａの内耳部２５が配置される部分に、外側（即ち曲用取付部４１側）に面する曲用縦壁部４４ａと、この曲用縦壁部４４ａの下端部より外側に向けて上方に面する曲用載置部４４ｂが形成してあり、更に、曲用載置部４４ｂの内側端部より上方に向けて位置決めリブ４４ｃが突設してある。この外曲がり吊具４の内側支持部４４にて外曲がり２ａの内側片２２を支持するには、図４に示すように軒樋吊具３の内支持部３４にて軒樋１の内側片１２を支持するのと同様に、外曲がり２ａの内側片２２の内耳リブ２８を外曲がり吊具４の内側支持部４４の位置決めリブ４４ｃを乗り越えさせて曲用載置部４４ｂに載置すると共に位置決めリブ４４ｃに当接させて支持するものである。
【００１８】
このようにして、図８に示すように、外曲がり吊具４の外側支持部４３と内側支持部４４とでそれぞれ外曲がり２ａの外側片２１と内側片２２とを支持して外曲がり２ａを吊り支持する。
【００１９】
また、曲がり２（特に本実施形態の場合は内曲がり２ｂ）を軒樋吊具３で支持するには、図４に示すように軒樋吊具３にて軒樋１を吊り支持するのと同様に、軒樋吊具３の外支持部３３の上端部３３ａを曲がり２の外側片２１の挿入部２７に挿入してこの上端部３３ａに曲がり２の外側片２１の端横片２６を載置すると共に、曲がり２の内側片２２の内耳リブ２８を軒樋吊具３の内支持部３４の抜け止めリブ３４ｃを乗り越えさせて載置部３４ｂに載置して曲がり２の内側片２２を支持するものである。
【００２０】
次に、内継手５について説明する。内継手５は、図９に示すように、軒樋１や曲がり２（以下、軒樋等という）の内側に沿って取り付けられるもので、軒樋等の外側片（１１，２１）と底片（１３，２３）と内側片（１２，２２）の内側にそれぞれ当接する継手外側片５１と継手底片５３と継手内側片５２とで主体が構成される断面が上方に開口する大略コ字状をしたものである。更に、継手外側片５１は、軒樋等の上縦片（１１ａ，２１ａ）と中横片（１１ｂ，２１ｂ）と下傾斜片（１１ｃ，２１ｃ）とにそれぞれ沿うように、継手上縦片５１ａと、継手上縦片５１ａの下端部より内側に連設される継手中横片５１ｂと、継手中横片５１ｂの内側端部より内側斜め下方に連設されて継手底片５３に接続される継手下傾斜片５１ｃとで構成される。そして、継手上縦片５１ａの上端部に外係止部５４を設けると共に、継手内側片５２の上端部に内係止部５５を設けるもので、以下に説明する。
【００２１】
内継手５は、軒樋等の内側に取り付けた際に、側断面において、継手底片５３はその全長が軒樋等の底片（１３，２３）全長に亘って丁度当接し、継手外側片５１は軒樋等の外側片（１１，２１）の下端部から挿入部（１７，２７）が形成してある部分にまで当接し、継手内側片５２は軒樋等の内側片（１２，２２）の下端部から内耳部（１５，２５）の下側辺部（１５ａ，２５ａ）が形成してある部分まで当接する。そして、この時、軒樋等の挿入部（１７，２７）に嵌入係止される外係止部５４を継手外側片５１の上端部に設けると共に、軒樋等の内耳リブ（１８，２８）と内側片（１２，２２）との間に嵌入係止される内係止部５５を継手内側片５２の上端部に設ける。
【００２２】
外係止部５４は、継手外側片５１の上端より内側に連設される凸曲部で、軒樋等の挿入部（１７，２７）の両側、即ち、外側片（１１，２１）の端縦部（１１ａ1，２１ａ1）と外耳部（１４，２４）の外側辺部（１４ａ，２４ａ）とに当接して嵌入されるものである。本実施形態では、外係止部５４の凸曲部から更に延設して解除部５４ｂが形成してあり、解除部５４ｂを摘まんで撓ませることで、外係止部５４の挿入部（１７，２７）への嵌入係止を容易に解除することができる。
【００２３】
また、内係止部５５は、継手内側片５２の上端部より内側に突設されるリブ状のもので、軒樋等の内側片（１２，２２）と内耳リブ（１８，２８）との間に嵌入係止される。
【００２４】
このような内継手５は、軒樋等（即ち、軒樋１同士あるいは軒樋１と曲がり２）を接続する際、軒樋等の突き合わせた端部の両側に亘って内面側に取り付けるもので、内継手５の継手外側片５１と継手底片５３と継手内側片５２とをそれぞれ軒樋等の外側片（１１，２１）と底片（１３，２３）と内側片（１２，２２）とに当接させ、上述したように、継手外側片５１の外係止部５４を軒樋等の外側片（１１，２１）の挿入部（１７，２７）に嵌入係止すると共に、継手内側片５２の内係止部５５を軒樋等の内側片（１２，２２）と内耳リブ（１８，２８）との間に嵌入係止するものである（図１０参照）。更にこの時、軒樋等の内面との接触面である内継手５の外面に接着剤を介在させてこれらを固定するようにしてもよい。図９に示す内継手５には、外面の長手方向の両外側に周方向にほぼ全周に亘って接着剤が溜まる溝が形成してあると共に、長手方向の中央側に軒樋等の突き合わせ端部に接着剤が移動して漏出するのを防止する漏れ防止溝がほぼ全周に亘って形成してある。このようにすることで、接着剤によって軒樋等と内継手５とをより強固に固定することができると共に、接着剤が軒樋等の突き合わせ端部より漏出するのを防止することができる。
【００２５】
以上のものを用いて軒樋１と曲がり２を建物の外壁面に配置する施工方法について説明する。
【００２６】
まず、建物の外壁面の出隅部６１と入隅部６２とに曲がり２を取り付けて配置する。これは、出隅部６１に外曲がり吊具４を取り付けてこれに外曲がり２ａを取り付けると共に、入隅部６２に軒樋吊具３を取り付けてこれに内曲がり２ｂを取り付けるものである。
【００２７】
出隅部６１に外曲がり２ａを取り付けるには、出隅方向に曲用延設部４２が突出するように出隅部６１に外曲がり吊具４を取り付け、外曲がり２ａの外側片２１の挿入部２７を外曲がり吊具４の外側支持部４３の上端部４３ａに被嵌し、外側支持部４３の上端部４３ａに載置した外曲がり２ａの外側片２１の端横片２６を中心Ｐとして外曲がり２ａの内側片２２を上方に回動させ、内側片２２の内耳リブ２８を外曲がり吊具４の内側支持部４４の位置決めリブ４４ｃを乗り越えさせて曲用載置部４４ｂに載置することで行う。このとき、位置決めリブ４４ｃによって外曲がり２ａの内角部が位置決めされる。
【００２８】
また、入隅部６２に内曲がり２ｂを取り付けるには、入隅部６２の隣接する両壁面にそれぞれ軒樋吊具３を取り付け、内曲がり２ａの両側の外側片２１の挿入部２７を軒樋吊具３の外支持部３３の上端部４３ａにそれぞれ被嵌し、外支持部３３の上端部３３ａに載置した内曲がり２ｂの外側片２１の端横片２６を中心として内曲がり２ａの内側片２２を上方に回動させ、両側の内側片２２の内耳リブ２８をそれぞれ軒樋吊具３の内支持部３４の抜け止めリブ３４ｃを乗り越えさせて載置部３４ｂに載置することで行う。このとき、抜け止めリブ３４ｃによって内耳リブ２８が脱落するのを防止することができる。
【００２９】
次に、隣接する曲がり２の対向する端部間に軒樋１を配置する。これは、上述したように出隅部６１と入隅部６２とに曲がり２を取り付けた後、隣接する曲がり２の対向する端部間の距離、例えば図１のｈ1やｈ2等に示す距離と同じ長さに軒樋１を形成してこの間にそれぞれ配置するものである。軒樋１を前記ｈ1やｈ2等の長さに調整するには、一体の軒樋１を切断したり複数の軒樋１を内継手５で接続してもよく、特に限定されない。そして、長さを調整した軒樋１を曲がり２間に配置するには、この曲がり２間の外壁面の平面部６０に軒樋吊具３を取り付けて軒樋１を吊り支持すると共に、軒樋１と曲がり２とを内継手５にて接続するものである。なお、軒樋１の軒樋吊具３への取り付けは、上述した内曲がり２ｂの軒樋吊具３への取り付けと同じである。
【００３０】
以上のような構成によれば、先に曲がり２を出隅部６１や入隅部６２に取り付けて配置しておくことで、軒樋１の形成すべき長さである隣接する曲がり２間の距離（ｈ1やｈ2）を容易に計測することができて、即ち、先に曲がり２を取り付けない場合にある作業者が曲がり２を手に持って出隅部６１や入隅部６２に配置した状態で別の作業者が曲がり２間の距離を計測するといったようなことなく計測を一人で行うことが可能となって、これらの作業の施工性が向上するものである。また、曲がり２の側断面形状を軒樋１の側断面形状と同じに形成してあると共に、軒樋１同士あるいは軒樋１と曲がり２とを内継手５にて接続してあるため、下方より軒樋１及び曲がり２を見上げた際にこれらが一体に見えて、外観が向上するものである。
【００３１】
また、外曲がり２ａを外曲がり吊具４にて吊り支持すると共に、内曲がり２ｂを軒樋吊具３にて吊り支持することで、軒樋１を吊り支持するための軒樋吊具３を曲がり２（本実施形態では内曲がり２ｂ）の吊具として兼用できると共に、外曲がり２ａを二つの軒樋吊具３で吊り支持することなく一つの外曲がり吊具４のみで吊り支持可能となるものである。
【００３２】
【発明の効果】
上記のように本発明の請求項１記載の発明にあっては、軒樋と同じ側断面形状をした平面視略Ｌ字状の曲がりの外曲がりと内曲がりをそれぞれ建物の出隅部と入隅部に取り付けた後、隣接する曲がりの対向する端部間に軒樋を配置し、軒樋と曲がりとを内継手で接続したので、曲がりを予め出隅部や入隅部に取り付けて配置することで、軒樋の形成すべき長さである隣接する曲がりの対向する端部間の距離を容易に一人でも計測可能となって、作業の施工性が向上するものである。また、曲がりの側断面形状を軒樋の側断面形状と同じに形成してあると共に、軒樋同士あるいは軒樋と曲がりとを内継手にて接続してあるため、軒樋と曲がりの接続部の外面を段部がない面一の状態に形成することができて、下方より軒樋及び曲がりを見上げた際にこれらが一体に見えて外観が向上するものである。
【００３３】
また請求項２記載の発明にあっては、上記請求項１記載の発明の効果に加えて、出隅部に出隅方向に突出する外曲がり吊具を取り付けて該外曲がり吊具に外曲がりを取り付けると共に、入隅部の隣接する両壁面にそれぞれ軒樋吊具を取り付けて該軒樋吊具に内曲がりの端部をそれぞれ取り付け、外壁面に軒樋吊具を取り付けて該軒樋吊具に軒樋を取り付けたので、軒樋を吊り支持するための軒樋吊具を曲がりの吊具として兼用できると共に、外曲がりを二つの軒樋吊具で吊り支持することなく一つの外曲がり吊具のみで吊り支持可能となる。
【図面の簡単な説明】
【図１】本発明の一実施形態の平面図である。
【図２】軒樋を示し、（ａ）は斜視図であり、（ｂ）は側面図である。
【図３】軒樋吊具を示し、（ａ）は側面図であり、（ｂ）は背面図であり、（ｃ）は延設部の断面図であり、（ｄ）は斜視図である。
【図４】軒樋の軒樋吊具への取り付け状態を示す側面図である。
【図５】外曲がりを示し、（ａ）は平面図であり、（ｂ）は側面図であり、（ｃ）は斜視図である。
【図６】内曲がりを示し、（ａ）は平面図であり、（ｂ）は側面図であり、（ｃ）は斜視図である。
【図７】外曲がり吊具を示し、（ａ）は平面図であり、（ｂ）は側面図であり、（ｃ）は背面図であり、（ｄ）は曲用延設部の断面図であり、（ｅ）は斜視図である。
【図８】外曲がりの外曲がり吊具への取り付け状態を示す平面図である。
【図９】内継手を示し、（ａ）は斜視図であり、（ｂ）は正面図であり、（ｃ）は側図である。
【図１０】軒樋の内継手への取り付け状態を示す平面図である。
【図１１】外曲がりの外曲がり吊具への取り付けの説明図である。
【図１２】従来例の平面図である。
【符号の説明】
１  軒樋
２  曲がり
２ａ  外曲がり
２ｂ  内曲がり
５  内継手
６１  出隅部
６２  入隅部
【図１】
0003747864.tif 000002
【図２】
0003747864.tif 000003
【図３】
0003747864.tif 000004
【図４】
0003747864.tif 000005
【図５】
0003747864.tif 000006
【図６】
0003747864.tif 000007
【図７】
0003747864.tif 000008
【図８】
0003747864.tif 000009
【図９】
0003747864.tif 000010
【図１０】
0003747864.tif 000011
【図１１】
0003747864.tif 000012
【図１２】
0003747864.tif 000013